(57)【要約】【課題】  これからの封筒はみんなでシェアするという理念の下、基本的な封筒の形状、開封の仕方は従来の郵便用封筒（従来の封筒に封入する便箋のサイズや開封の仕方に合わせて）の利点を活かしつつ、更に封筒本体の利便性や耐久性を向上させ、何度でも使用できる郵便封筒及び郵便封筒製造方法を提供すること。【解決手段】本発明に係る封筒は、宛先情報が記載された封書側宛先情報面を持つ封書を封緘できる封筒において、該封筒１０は、前記封書側宛先情報面と接する封筒側宛先情報面における少なくとも前記宛先情報が記載された部分に対応する箇所が一定の透明性を備える素材によってなり、前記封筒側宛先情報面には郵便切手の貼付と消印を行うのに十分な大きさを有する開口３０を備えて構成される。【選択図】図１
2011025938.tif 000002
【特許請求の範囲】
【請求項１】
宛先情報が記載された封書側宛先情報面を持つ封書を封緘できる封筒において、該封筒は、
前記封書側宛先情報面と接する封筒側宛先情報面における少なくとも前記宛先情報が記載された部分に対応する箇所が一定の透明性を備える素材によってなり、
前記封筒側宛先情報面には郵便切手の貼付と消印を行うのに十分な大きさを有する開口を備えることを特徴とする封筒。
【請求項２】
前記封筒には、前記封書の封入のための切込部と、前記切込部により枠取られた摘み部とが形成されることを特徴とする請求項１記載の封筒。
【請求項３】
前記封筒の角が、略円弧状に縁取られたことを特徴とする請求項１記載の封筒。
【請求項４】
前記開口の角が、略円弧状に縁取られたことを特徴とする請求項１記載の封筒。
【請求項５】
前記摘み部の角が、略円弧状に縁取られたことを特徴とする請求項２記載の封筒。
【請求項６】
前記切込部の両端もしくは一端には、半径略１ｍｍ〜略３ｍｍ程度の略円状の欠損部が貫設されていることを特徴とする請求項２記載の封筒。
【請求項７】
前記封筒には、その側面及び／もしくは底面にマチが形成されることを特徴とする請求項１記載の封筒。
【請求項８】
台紙を封筒の展開図形状に切り取り、
前記切り取られた台紙における封書の少なくとも宛先情報記載部分に対応する箇所を一定の透明性を備える素材によって形成し、
前記切り取られた台紙において郵便切手の貼付と消印を行うのに十分な大きさを有する開口を打ち抜くことを特徴とする封筒の製造方法。
【請求項９】
前記台紙には封書の封入のための切込部と、前記切込部により枠取られた摘み部とを打ち抜きによって形成し、
前記封筒の角、前記開口の角、前記摘み部の角の少なくとも一つには略円弧状の縁取りを形成し、
前記切込部の両端もしくは一端に、半径略１ｍｍ〜略３ｍｍ程度の略円状の欠損部を貫設することを特徴とする請求項８記載の封筒の製造方法。
【発明の詳細な説明】
【技術分野】
【０００１】
本発明は、たとえば郵便封筒及び往復郵便封筒に係り、特にたとえば再使用可能な郵便封筒及び郵便用封筒製造方法に関する。
【背景技術】
【０００２】
環境への配慮や利便性、再利用性、耐久性といった点から、切手貼着消印孔、差出人欄と受取人欄の視認窓を有する複数回使用可能な郵便用封筒が提案されてきている。
【先行技術文献】
【特許文献】
【０００３】
【特許文献１】特開２００３−２１２２４４号公報
【発明の概要】
【発明が解決しようとする課題】
【０００４】
しかしながら、特許文献１記載の郵便用封筒では、指定された場所に差出人欄と受取人欄の視認窓が貫設されてあるため、便箋等に差出人と受取人の名を記載する場所も限定され、またその視認窓のサイズに合わせて文字のサイズも限定されるため不便である。
【０００５】
また、切手貼着消印孔の周縁に消印スタンプによる汚損防止用の消印不着帯を設け、反復使用性の向上を図っているものの、その反復使用性の向上を図れるのは消印不着帯が設けられた周辺部のみであり、その周辺部以外は一般の郵便用封筒と変わらないのであるから、封筒全体としての反復使用性を図る工夫を施しているとはいえない。本発明は、このような従来技術上の問題点を解決するためになされたものである。
【０００６】
本発明の根本的な目的は封筒ゴミを削減し環境問題に貢献するためである。そのために従来の基本的な封筒の形状、開封の仕方は従来の郵便用封筒（従来の、封筒に封入する便箋のサイズや開封の仕方に合わせて）の利点を活かしつつ、封筒本体の利便性や耐久性を向上させ問題を解決するものである。さらに別の目的は何度でも使用できる郵便封筒及び郵便封筒製造方法を提供することにある。
【課題を解決するための手段】
【０００７】
かかる目的を達成するために、本発明の請求項１に係る封筒は、宛先情報が記載された封書側宛先情報面を持つ封書を封緘できる封筒において、該封筒は、前記封書側宛先情報面と接する封筒側宛先情報面における少なくとも前記宛先情報が記載された部分に対応する箇所が一定の透明性を備える素材によってなり、前記封筒側宛先情報面には郵便切手の貼付と消印を行うのに十分な大きさを有する開口を備えて構成される。
【０００８】
封書側宛先情報面とは、たとえば、封書の裏面に当該郵送物の宛先を記載する場合の、この宛先を記載する面をいう。これまでの郵送物では、封書と宛名情報とは別の紙面に記述もしくは印刷する場合が通常であった。或いは、封書の一部に宛先が印刷等されたものをいわゆる窓付き封筒を用いて、かかる窓（透明もしくは半透明素材にて形成される）に宛先記載・印刷箇所が当たるように封緘で工夫するというのが通例であった。これに対して、本願では、封書の裏面に宛先を記載もしくは印刷するものとする。
【０００９】
このように構成される本発明によれば、封筒の宛名情報が記載された面（もしくはその一部）が透明（半透明）素材で形成されるため、封筒自体には宛先情報が印刷等されることなく、再利用可能である。さらに、封筒側宛先情報面には郵便切手の貼付と消印を行うのに十分な大きさを有する開口を備えるので、切手貼付や消印押印等の庶務にも好適であるのみならず、開口の大きさが必要最小限に抑えられる分、内容物の保持、防水、いたずら防止、想定外の取り出し防止等に便宜である。この場合、便箋等に宛名を記載する場所や文字のサイズについては過度に限定されることはない。また従来の紙製封筒と比べ、全体として耐久性・防水性に優れるため、封筒全体として反復使用性を高めることが可能である。つまり、基本的な封筒の形状、開封の仕方は従来の郵便用封筒（従来の、封筒に封入する便箋のサイズや開封の仕方に合わせて）の利点を活かしつつ、更に封筒本体の利便性や耐久性を向上させ、何度でも使用できる。この点で、従来の窓付き封筒の場合には、封書面に切手貼付・消印押印を行う構造のため、封筒自体を郵便行政上流通できる封筒として再利用するのは不可能である。
【００１０】
本発明の郵便封筒は、宛名面のみが透明（半透明）であっても、本発明の目的を達成することが可能なので、それ以外の箇所、例えばその裏面は文字が視認できない色又は材質の素材で構成しても良い。
【００１１】
上記構成において、請求項２のように、前記封筒には、前記封書の封入のための切込部と、前記切込部により枠取られた摘み部とが形成されるようにしてもよい。切込部を設けることにより、封書を封筒に封入する際のガイドとすることができるため、より封入に便宜である。また、摘み部を設ければ、摘み部を用いて封筒を開放しやすくなり、封入後にはこれをたとえば折り返せば封止の便宜にもなる。一実施形態によれば、このような切り込み部は、横一直線に、封緘用タグのサイズに合わせて切り込まれ、その両端は小さく円状に貫設して構成される。
【００１２】
また、上記構成において、請求項３乃至５のように、前記封筒の角、前記開口の角、前記摘み部の角の少なくとも一つを略円弧状に縁取られた構成とすることができる。この場合の「略円弧状に縁取られた」とは、突端部を円弧状或いはゆるやかなカーブを描く切片に、または鋭角的な突出部を鈍角的な突出部もしくは人間の皮膚に対して外傷を与えない程度の形状・構造（形状、構造等に特に限定はない）の切片にすることをいう。こうした構成をとれば、封筒の鋭利な角、開口の鋭利な角、摘み部の鋭利な角の少なくとも一つをなくすことができるから、利用者の予期せぬ怪我の防止に役立てることができる。
【００１３】
また、上記構成においては、請求項６のように、前記切込部の両端もしくは一端には、半径略１ｍｍ〜略３ｍｍ程度の略円状の欠損部が貫設される構成としても良い。「切込部の両端もしくは一端に半径略１ｍｍ〜略３ｍｍ程度の略円状の欠損部が貫設され」るとは、切込部の端部にたとえば円状の欠損部（開口部）を設けることをいう。封筒本体の切込部の両端は、その裂け目からささくれ、封筒本体の耐久性が下がることがあるため、ここに欠損部を設けることで、ささくれの発生防止、耐久性低下の防止に繋げられる。さらに、端部形状の鋭角的突端による怪我を防止することができる。
【００１４】
また切手消印用開口は、切手を複数枚貼らなければならない場合の対策として、切手が複数枚貼れる程度のサイズの開口とすることもできる。或いは、複数個の消印用開口を貫設した構成とすることもできる。
【００１５】
また、上記構成において、請求項７のように、前記封筒には、その側面及び／もしくは底面にマチが形成される構成としてもよい。マチを形成することで、より厚い内容物を送付する場合においても、本願に係る再生利用封筒は実現し得ることになる。
【００１６】
また、上記目的を達成するために、本発明の請求項８に係る封筒の製造方法は、台紙を封筒の展開図形状に切り取り、前記切り取られた台紙における封書の少なくとも宛先情報記載部分に対応する箇所を一定の透明性を備える素材によって形成し、前記切り取られた台紙において郵便切手の貼付と消印を行うのに十分な大きさを有する開口を打ち抜くことを特徴とする。
【００１７】
このように構成される本発明によれば、台紙を封筒の展開図形状に切り取ることで、１枚紙からの打ち抜き製作が可能である。切り取られた台紙における封書の少なくとも宛先情報記載部分に対応する箇所を一定の透明性を備える素材によって形成することで、製造上、平面的な作業によって、再利用可能な封筒の宛名表示面が容易に生成され得る。切り取られた台紙において郵便切手の貼付と消印を行うのに十分な大きさを有する開口を打ち抜くことで、郵政業務で利用可能な封筒の形態を、平面的打ち抜きという自動化が容易な作業によって実現することができる。
【００１８】
上記構成においては、請求項９のように、前記台紙には封書の封入のための切込部と、前記切込部により枠取られた摘み部とを打ち抜きによって形成し、前記封筒の角、前記開口の角、前記摘み部の角の少なくとも一つには略円弧状の縁取りを形成し、前記切込部の両端もしくは一端に、半径略１ｍｍ〜略３ｍｍ程度の略円状の欠損部を貫設する構成とすることもできる。
【００１９】
かかる構成によれば、切込部及び摘み部が打ち抜きという平面的に容易な方法にて形成することができる。また、封筒の角、前記開口の角、前記摘み部の角の少なくとも一つについて、略円弧状の縁取りをたとえば打ち抜きによって形成すれば、安全対策を平面的打ち抜き作業という安易な作業によって実現することができる。さらに、切込部の両端もしくは一端における略円状の欠損部の貫設についても、ささくれの発生防止、耐久性低下の防止対策を平面的打ち抜き作業という安易な作業によって実現することができる。
【００２０】
以上のように、本発明によれば、耐久性・防水性を有する材料の封筒を活かした郵便封筒を正確かつ効率良く、廉価に生産する方法が実現できる。
【発明の効果】
【００２１】
本発明によれば、基本的な封筒の形状、開封の仕方は従来の郵便用封筒（従来の、封筒に封入する便箋のサイズや開封の仕方に合わせて）の利点を活かしつつ、更に封筒本体の利便性や耐久性を向上させ、何度でも使用できる封筒が実現でき、そうした封筒の製造方法として実現容易な方法が実現できる。
【図面の簡単な説明】
【００２２】
【図１】本発明の一実施形態に係る切手消印開口付郵便封筒の開口状態の表面と裏面の概略を示す正面図である。
【図２】本発明の一実施形態に係る切手消印開口付郵便封筒の封緘部が突出形状を成した一例を示す正面図である。
【図３】本発明の一実施形態に係る切手消印開口付郵便封筒の閉口状態の表面と裏面の概略を示す正面図である。
【図４】本発明の一実施形態に係る切手消印開口付郵便封筒において、突出形状を成した封緘部を閉じた状態を示す正面図である。
【図５】本発明の一実施形態に係る切手消印開口付郵便封筒に宛名記載済便箋を封入した一例を示す正面図である。
【図６】本発明の一実施形態に係る切手消印開口付郵便封筒において、宛名記載済便箋を突出形状を成した封緘部で閉じた状態を示す正面図である。
【図７】本発明の一実施形態に係る切手消印開口付郵便封筒において、図１及び３を立体的に見た斜視図である。
【発明を実施するための形態】
【００２３】
以下、図面を参照して本発明を実施するための最良の形態について説明する。
【００２４】
図１は本発明の一実施形態に係る切手消印開口付郵便封筒の概略を示す正面図である。ここでいう切手消印開口は好適にはたとえば一つであることを想定しているが、これに限定されるわけではない。同図において（Ａ）は封筒の表面、（Ｂ）はその裏面（消印用開口面に対向する面）を表している。封筒の大きさとしては、同図に示したものはその一例であり、たとえば角０乃至角８、長３、４、４０等或いはこれ以外のいずれの大きさであっても、等しく本願に係る技術思想は適用することができる。
【００２５】
同図の左側に概略的に示すように、切手消印孔付郵便用封筒１０において、封筒本体部２０は、すくなくともその表面の全部もしくは一部が透明（半透明）の素材により形成される。封筒１０は、接着部５０を有する封緘部４０と、郵便切手の貼付と郵便消印を行うのに十分な大きさの切手消印用開口３０と、切手消印用開口を有する面の対向面（本図の場合には封筒裏面）に形成される切込部８０と、切込部８０により枠取られた摘み部７０とを具備して構成される。同図の消印用開口３０は、封筒本体の中央に対して左上に位置するが、この位置に限定されるわけではない。また、開口３０は同図のように単数設けることに限定されるわけではなく、状況によって複数の開口３０を設けるようにしてもよい。封筒本体２０の上記以外の個所は、好適には紙製の封筒よりも防水性・耐久性を有する材料にて構成される。また同図において封緘部４０は山のシルエットをなす形状として形成される場合を例にとっているが、このような形状に限定されるわけではなく、切込部８０にその先端が収まることで、封入封止状態が保持し得る形状であればよい。
【００２６】
同図において、１００で示すように、封筒の鋭利な角による怪我防止を目的として、封筒本体の角、切手消印用開口の角、摘み部の角、を円弧状に縁取るように形成するのが好ましい。また封筒本体に切込を入れた両端は、その裂け目からささくれや伝線することがあるため、その対策として、切込の両端に半径略１ｍｍ〜略３ｍｍ程度の半径の円９０を貫設して構成するのが望ましい。
【００２７】
図２は本願の別の実施形態に係る封筒を示した平面図であり、（Ａ）は封筒の表面、（Ｂ）はその裏面（消印用開口面に対向する面）を示したものである。同図に示すように、封緘部４１の末端が突出形状１１０であって、摘み部７１の中央に切込部１２０、接着部１３０を有した構成を示している。また、好適には、切込部１２０の両端に、半径略１ｍｍ〜略３ｍｍ程度の半径の円９０を貫設して構成する。切込部の両端は、その裂け目からささくれ、封筒本体の耐久性が下がることがあるが、この円９０を貫設することにより、ささくれの発生防止、耐久性低下の防止が達成される。同図に示すように、突出形状１１０を円弧状にして構成するのも好ましい。このように円弧状或いはゆるやかなカーブを描く切片、または人間の皮膚に対して外傷を与えない程度の形状・構造（形状、構造等に特に限定はない）の切片にした構成をとることで、人体特に指先、掌等を傷つけかねない鋭利な角をなくすことができるから、利用者の予期せぬ怪我の防止を図ることができる。
【００２８】
次にこのように構成される切手消印孔付郵便用封筒１の作用・動作について説明する。
【００２９】
図３は、封緘部４０を折曲して切込部８０に嵌入し、その状態で閉口された様子を示した平面図である。まず、折線ＬＩ‐IIを介して封緘部４０が谷折に略１８０度折曲される。すると、物理的な一体性から、必然的に、封緘部４０の接着部５０が摘み部７０と貼着すること（１３５）により、閉口状態となる。尚、図７は、図１及び３を立体的に見た斜視図である。
【００３０】
封緘部４０と接着部５０とを接着する接着剤として、例えば「プリットひっつき虫（商標）」等を塗布・貼着し、剥離・接着を複数回繰り返すことが可能な構成としてもよい。
【００３１】
図４は、図２に示した形態に係る封筒が閉口状態となった状態の平面図を示したものである。その閉口までの動作としては、まず、折線ＬIII―IVを折り曲げ線として封緘部４０が谷折に１８０度折曲される。次に、突出形状１１０が摘み部７０の下方より切込部１２０に差込まれる（１４０）。この状態で、接着部１３０と接着する（１４５）ことにより、閉口状態となる。突出形状１１０と接着部１３０を接着する接着剤として、例えば上記プリットひっつき虫（商標）等を使用し、剥離・接着を複数回繰り返すことが可能となる。
【００３２】
図５は実際に宛名記載済便箋１５５を封入した状態を示す図である。ここまでの動作としてはまず、図１の開口状態の郵便封筒１０の開口部６０に、上述したようにたとえば裏面に宛名記載済みの便箋等を挿入する。次に、折線ＬＩ‐IIを折り曲げ線として封緘部４０が谷折に略１８０度折曲されることにより、封緘部４０の接着部５０が摘み部７０と貼着（１３５）を行うと、切手消印開口３０に切手１５０を貼るスペースが十分に確保され、更に宛名１６０を十分に視認することが可能である。後は、消印開口３０を介して封書裏面（宛名が記載された面）に所定の切手代分の切手を貼付する。この状態に至って、郵便ポストに投函すれば、当該郵便物を回収した郵便局等によって消印開口を介して封書裏面に消印が押印され（封筒への消印押印ではない）、受取人に届き、受取人はまたその封筒を再利用することができる。この一連のシステムが、繰り返し行われることが本発明の目的とするところでもある。
【００３３】
図６は図２の封筒に実際に宛名記載済便箋１５５を封入した状態を示す図である。ここまでの動作としてはまず、図２の開口状態の郵便封筒１０の開口部６０に一般の宛名記載済みの便箋等を挿入する。次に、折線ＬIII―IVを折り曲げ線として封緘部４１が谷折に１８０度折曲され、突出形状１１０を摘み部７０の下方より切込部１２０に差込まれる（１４０）と、接着部１３０と接着する（１４５）ことにより、閉口状態となる。
【００３４】
以上説明したように、本実施形態によれば切手消印孔付郵便用封筒１０において、封筒本体２０は、透明（半透明）であり、接着部５０を有する封緘部４０と、郵便切手の貼付と郵便消印を行うのに十分な切手消印用開口３０と、切手消印用開口３０を有する面の対向面に、切込部８０と、切込部８０により枠取られた摘み部７０とを具備することによって、封書の封印作業、切手貼付作業、消印押印作業がスムーズに行われる。また、こうして１回の利用がなされて宛先に届けられた封書入り封筒は、その表面に消印等の押印がなされていないことから、再利用が可能となる。なお、消印用開口３０は、上記の例では、封筒本体の中央に対して左上に位置する場合を示したが、この位置に限定されるわけではない。また、基本的な封筒の形状、開封の仕方は従来の郵便用封筒（従来の、封筒に封入する便箋のサイズや開封の仕方に合わせて）の利点を活かしつつ、更に封筒本体の利便性や耐久性を向上させ、何度でも使用できる郵便封筒及び郵便封筒製造方法を提供することが可能となる。このようにすることで、本発明の理念である、これからの封筒はみんなでシェアすることにより、エコロジーを実現し、多量の封筒が使い捨てされているという資源の無駄の改善が実現できる。
【００３５】
また封緘部４０と摘み部７０の接着の方法、つまり封の仕方としては他に、たとえばスナップボタンを用いて、封緘部と摘み部を留める方法、面ファスナー（商標）を用いて止める方法を採用するのでもよい。
【００３６】
本願発明は、上述した実施形態に限定されるものでなく、その技術思想の同一及び等価に及ぶ範囲において上述した実施形態への様々な変形、追加、置換、拡大、縮小等を許容するものである。さらに、上述したものは本願に係る技術思想を具現化するための実施形態の一例を示したにすぎないものであり、他の実施形態でも本願に係る技術思想を適用することが可能である。たとえば、上記では封筒本体と封緘部を留める方法として、接着剤による接着方法、スナップボタンによる方法を説明したが、当該メカニズムは他の留め方、接着方法の可能性を排除するものではない。封緘部の開閉に伴い、便箋の出入の動作とふた部と封筒本体を閉口状態にするメカニズムであれば本願の技術的思想の範囲に含まれる。また、上述した説明においては、説明のために一部を省略し、また寸法についてはあくまで概念的なものを示し必ずしも正確でない場合もある点を注記する。
【産業上の利用可能性】
【００３７】
封筒の形状、開封の仕方は従来の郵便用封筒（封筒の中身つまり郵便物や開封の仕方を無理に変える必要はないので）の利点を活かしつつ、更に利便性や耐久性を向上させ、何度でも使用できるリサイクル可能な郵便用封筒を提供することを初め、封筒が（少なくともその宛名が記載された面において）透明である点を活かし、たとえば便箋に企業広告を印刷することにより、新たな広告・宣伝媒体として利用することも可能である。
【００３８】
更に、様々なカラーバリエーション、形状を用意することにより、季節に応じた挨拶状としての役割りを果たすことも可能である。
【００３９】
たとえば、春の挨拶状として、封筒本体を半透明な桃色で色づけ、桜の花弁の形状を印刷した郵便封筒を受け取れば、季節をより感じることができ、差出人と受取人の節目の新たな挨拶の形、コミュニケーションの創出を可能とする。
【００４０】
したがって、本願は、文具産業をはじめ、観光、教育、出版、食品の各産業、製造業等で広く利用可能性を有している。
【符号の説明】
【００４１】
１０  郵便封筒
２０  封筒本体
３０  切手消印開口
４０、４１  封緘部
５０  接着部
６０  開口部
７０、７１  摘み部
８０  切込部
９０  半径１ｍｍ〜３mm程度の半径の円
１００  円弧状に縁取られた角
１１０  突出形状部
１２０  切込部
１３０  接着部
１３５  前記封緘部の接着部５０と摘み部７０の貼着
１４０  突出形状１１０を摘み部７０の下方より切込部１２０への差込み
１４５  接着部１３０との接着
１５０  切手
１５５  宛名記載済便箋
１６０  宛名
ＬＩ−II  谷折線
ＬIII−IV  谷折線
【図１】
2011025938.tif 000003
【図２】
2011025938.tif 000004
【図３】
2011025938.tif 000005
【図４】
2011025938.tif 000006
【図５】
2011025938.tif 000007
【図６】
2011025938.tif 000008
【図７】
2011025938.tif 000009